(57)【要約】【課題】  情報閲覧を円滑に行うことを可能とする。【解決手段】  情報閲覧装置は、複数のページ情報からなる閲覧対象情報がページ情報毎に表示される表示画面上において閲覧者の視線が所定の時間以上停止したポイントを注目ポイントとして検出する注目ポイント検出部と、閲覧者による閲覧が中断される時点直前の注目ポイントについての、位置情報と、直前の注目ポイントが属するページ情報のページ番号を示すページ番号情報とを対応付けた栞情報を作成する栞情報作成部と、閲覧の中断後に閲覧の再開が検出された場合、ページ番号情報に基づいて直前の注目ポイントが属するページ情報を表示画面上に表示するとともに、表示画面上に直前の注目ポイントを識別可能に表示する閲覧再開処理部と、を備える。【選択図】  図１
2014222472.tif 000002
【特許請求の範囲】
【請求項１】
複数のページ情報からなる閲覧対象情報がページ情報毎に表示される表示画面上において閲覧者の視線が所定の時間以上停止したポイントを注目ポイントとして検出する注目ポイント検出部と、
前記閲覧者による閲覧が中断される時点直前の前記注目ポイントについての、位置情報と、前記直前の注目ポイントが属するページ情報のページ番号を示すページ番号情報とを対応付けた栞情報を作成する栞情報作成部と、
前記閲覧の中断後に前記閲覧の再開が検出された場合、前記ページ番号情報に基づいて前記直前の注目ポイントが属するページ情報を前記表示画面上に表示するとともに、前記表示画面上に前記直前の注目ポイントを識別可能に表示する閲覧再開処理部と、
を備えることを特徴とする情報閲覧装置。
【請求項２】
前記栞情報は、前記直前の注目ポイントの情報に加え、過去の前記注目ポイントの情報を含むことを特徴とする請求項１記載の情報閲覧装置。
【請求項３】
前記栞情報は、前記直前および前記過去の注目ポイントについての前記位置情報および前記ページ番号情報に加え、さらに、前記直前および前記過去の注目ポイントについての検出日時情報を含むことを特徴とする請求項２記載の情報閲覧装置。
【請求項４】
前記閲覧再開処理部は、前記直前および前記過去の前記検出日時情報に基づいて、前記閲覧者の閲覧スピードを算出することを特徴とする請求項３記載の情報閲覧装置。
【請求項５】
前記閲覧再開処理部は、前記直前の注目ポイントについての前記検出日時情報を、前記表示画面上に表示することを特徴とする請求項３または４記載の情報閲覧装置。
【請求項６】
前記注目ポイントの表示は、前記注目ポイントの強調表示であることを特徴とする請求項１−５のいずれか１項に記載の情報閲覧装置。
【請求項７】
前記強調表示は、前記注目ポイントを太線とする表示、前記注目ポイントに下線を付す表示、前記注目ポイントを周囲と異なるフォントまたは色とする表示、前記注目ポイントを斜体文字とする表示、および前記注目ポイントを立体文字とする表示の少なくとも１つであることを特徴とする請求項６記載の情報閲覧装置。
【請求項８】
複数のページ情報からなる閲覧対象情報がページ情報毎に表示される表示画面上において閲覧者の視線が所定の時間以上停止したポイントを注目ポイントとして検出し、
前記閲覧者による閲覧が中断される時点直前の前記注目ポイントについての、位置情報と、前記直前の注目ポイントが属するページ情報のページ番号を示すページ番号情報とを対応付けた栞情報を作成し、
前記閲覧の中断後に前記閲覧の再開が検出された場合、前記ページ番号情報に基づいて前記直前の注目ポイントが属するページ情報を前記表示画面上に表示するとともに、前記表示画面上に前記直前の注目ポイントを識別可能に表示する
ことを特徴とする情報閲覧制御方法。
【請求項９】
情報閲覧装置のコンピュータに、
複数のページ情報からなる閲覧対象情報がページ情報毎に表示される表示画面上において閲覧者の視線が所定の時間以上停止したポイントを注目ポイントとして検出する第１処理と、
前記閲覧者による閲覧が中断される時点直前の前記注目ポイントについての、位置情報と、前記直前の注目ポイントが属するページ情報のページ番号を示すページ番号情報とを対応付けた栞情報を作成する第２処理と、
前記閲覧の中断後に前記閲覧の再開が検出された場合、前記ページ番号情報に基づいて前記直前の注目ポイントが属するページ情報を前記表示画面上に表示するとともに、前記表示画面上に前記直前の注目ポイントを識別可能に表示する第３処理と、
を実行させるための情報閲覧制御プログラム。
【発明の詳細な説明】
【技術分野】
【０００１】
本発明は、デジタル化された電子情報を閲覧する情報閲覧装置、情報閲覧制御方法、および情報閲覧制御プログラムに関する。
【背景技術】
【０００２】
デジタル化された電子情報（たとえば、書籍情報）を閲覧するための情報閲覧装置（電子書籍リーダー端末、スマートフォン等）の中には、閲覧を中断した箇所を保持する、所謂「栞（しおり）機能」を搭載したものがある。
【０００３】
たとえば、特許文献１には、閲覧中断時において中断した書籍データの位置を栞情報として登録し、閲覧再開時において上記位置以降の書籍データを表示手段へ表示することが記載されている。
【０００４】
また、特許文献２には、電源スイッチのオフ、または閲覧モード（読書モード）以外のモードへの移行を検出した際、その検出の直前に表示されていたページについての情報を記憶し、一方、電源スイッチのオン、または閲覧モードへの移行を検出した際、上記ページを表示手段に表示することが記載されている。
【０００５】
特許文献３は、表示部を目視する閲覧者の視線を検出する方法について記載する。
【先行技術文献】
【特許文献】
【０００６】
【特許文献１】特開平０３−１５４１６７号公報（ページＮｏ．２）
【特許文献２】特開平０６−０４４３２２号公報（ページＮｏ．３−４、図４）
【特許文献３】特開２００７−１０２３６０号公報（ページＮｏ．５−６）
【発明の概要】
【発明が解決しようとする課題】
【０００７】
特許文献１における栞情報の登録は、閲覧者による入力操作に基づいて実行される。すなわち、閲覧を中断するたびに栞情報を登録するための入力操作が必要となり、閲覧者は手間を強いられる。
【０００８】
これに対して、特許文献２の場合、栞情報の登録は、所定条件の成立（たとえば、電源スイッチのオフや閲覧モード以外のモードへの移行）をもって自動的に行われるため、特許文献１のような、栞情報を登録する際に発生する手間を省くことが可能となる。
【０００９】
しかしながら、特許文献２の場合、栞情報の登録は、ページ単位で行われる。すなわち、閲覧再開時、単に、中断したページが表示されるに過ぎない。従って、閲覧者は、中断箇所を一目で把握することはできず、中断したページ全体を見渡して中断箇所を探す必要がある。要するに、特許文献２の場合、栞情報登録時（すなわち、閲覧中断時）における手間は省かれるが、閲覧再開時における手間は省かれていない。
【００１０】
以上説明したように、特許文献１および特許文献２で示された各方法では、円滑な情報閲覧を行うことは困難である。
【００１１】
本発明は上記課題を解決するためになされたものであり、情報閲覧を円滑に行うことが可能な情報閲覧装置、情報閲覧制御方法、および情報閲覧制御プログラムを提供することを目的とする。
【課題を解決するための手段】
【００１２】
本発明の情報閲覧装置は、複数のページ情報からなる閲覧対象情報がページ情報毎に表示される表示画面上において閲覧者の視線が所定の時間以上停止したポイントを注目ポイントとして検出する注目ポイント検出部と、前記閲覧者による閲覧が中断される時点直前の前記注目ポイントについての、位置情報と、前記直前の注目ポイントが属するページ情報のページ番号を示すページ番号情報とを対応付けた栞情報を作成する栞情報作成部と、前記閲覧の中断後に前記閲覧の再開が検出された場合、前記ページ番号情報に基づいて前記直前の注目ポイントが属するページ情報を前記表示画面上に表示するとともに、前記表示画面上に前記直前の注目ポイントを識別可能に表示する閲覧再開処理部と、を備える。
【００１３】
本発明の情報閲覧制御方法は、複数のページ情報からなる閲覧対象情報がページ情報毎に表示される表示画面上において閲覧者の視線が所定の時間以上停止したポイントを注目ポイントとして検出し、前記閲覧者による閲覧が中断される時点直前の前記注目ポイントについての、位置情報と、前記直前の注目ポイントが属するページ情報のページ番号を示すページ番号情報とを対応付けた栞情報を作成し、前記閲覧の中断後に前記閲覧の再開が検出された場合、前記ページ番号情報に基づいて前記直前の注目ポイントが属するページ情報を前記表示画面上に表示するとともに、前記表示画面上に前記直前の注目ポイントを識別可能に表示する、ことを特徴とする。
【００１４】
本発明の情報閲覧制御プログラムは、情報閲覧装置のコンピュータに、複数のページ情報からなる閲覧対象情報がページ情報毎に表示される表示画面上において閲覧者の視線が所定の時間以上停止したポイントを注目ポイントとして検出する第１処理と、前記閲覧者による閲覧が中断される時点直前の前記注目ポイントについての、位置情報と、前記直前の注目ポイントが属するページ情報のページ番号を示すページ番号情報とを対応付けた栞情報を作成する第２処理と、前記閲覧の中断後に前記閲覧の再開が検出された場合、前記ページ番号情報に基づいて前記直前の注目ポイントが属するページ情報を前記表示画面上に表示するとともに、前記表示画面上に前記直前の注目ポイントを識別可能に表示する第３処理と、を実行させるためのプログラムである。
【発明の効果】
【００１５】
本発明によれば、情報閲覧を円滑に行うことが可能となる。
【図面の簡単な説明】
【００１６】
【図１】本発明の第１の実施形態に係る情報閲覧装置の構成例を示すブロック図である。
【図２】栞情報の構成例を説明する図である。
【図３】図１に示す情報閲覧装置の動作例（情報閲覧制御方法）を説明するフローチャートである。
【図４】注目ポイント検出時の表示画面例である。
【図５】閲覧再開時の表示画面例である。
【図６】変形例１に係る第１の栞情報、詳細には、閲覧中断直前の注目ポイントと同一ページ内に別の１つ以上の注目ポイントが存在する場合の栞情報の構成例を説明する図である。
【図７】変形例１に係る第２の栞情報、詳細には、異なるページのそれぞれに１つ以上の注目ポイントが存在する場合の栞情報の構成例を説明する図である。
【図８】変形例２に係る栞情報、詳細には、ページ番号情報および注目ポイント位置情報に加えて、付加情報を含んだ状態の栞情報の構成例を説明する図である。
【図９】本発明の第２の実施形態に係る情報閲覧装置の構成例を示すブロック図である。
【図１０】情報閲覧制御プログラムの構成例を示すブロック図である。
【発明を実施するための形態】
【００１７】
［第１の実施形態］
図１は、本発明の第１の実施形態に係る情報閲覧装置１０の構成例を示すブロック図である。情報閲覧装置１０は、表示部１２と、操作部１４と、記憶部１６と、制御部１８と、を備える。
【００１８】
表示部１２は、閲覧対象情報（本実施形態では、デジタル化された「書籍データ」である場合を例に挙げる）を表示する。書籍データは、複数のページ情報から構成され、ページ情報は、それぞれに少なくとも文字情報を含む。表示部１２は、書籍データを、ページ情報単位で表示することが可能である。たとえば、書籍データは、１ページ単位、あるいは２ページ単位で表示される。
【００１９】
操作部１４は、ボタンやタッチパネル等の所定の操作手段を備える。操作部１４を操作することにより、表示部１２に表示されるページ情報を変更することが可能となる（すなわち、ページめくりが可能となる）。
【００２０】
記憶部１６は、上記書籍データと栞情報５０（後述）とを記憶する。
【００２１】
制御部１８は、注目ポイント検出部３０と、栞情報作成部３２と、閲覧再開処理部３４と、を備える。
【００２２】
注目ポイント検出部３０は、閲覧者の視線が所定の時間以上停止した表示部１２上のポイント（以下、これを「注目ポイント」と呼ぶ）を検出する。注目ポイント検出部３０は、注目ポイントを検出するたびに、当該注目ポイントについての位置情報（以下、「注目ポイント位置情報」と呼ぶ）を、栞情報作成部３２へ送信する。また、注目ポイント検出部３０は、閲覧中断イベント（たとえば、閲覧モード以外のモードへの移行、電源ＯＦＦ等）の発生を検出し、当該イベントが検出されるまで、注目ポイントの検出を繰り返し実行する。
【００２３】
なお、注目ポイント位置情報は、たとえば、画面上の座標情報であってもよく、あるいは書籍データ上でのアドレス情報であってもよい。
【００２４】
また、閲覧者の視線が注がれている表示部１２上のポイントが注目ポイントであるか否かを判断するための上記「所定の時間」は、閲覧中断の蓋然性が高いと判断可能な時間であればよく、開発者の経験則や人間工学の知見等に基づいて任意の値に設定することができる。
【００２５】
また、注目ポイント検出部３０における閲覧者の視線を検出する方法には、既知の方法（たとえば、特許文献３に記載された方法）を用いることができる。
【００２６】
栞情報作成部３２は、注目ポイント検出部３０から、注目ポイント位置情報を受信すると、表示部１２に表示されて閲覧者の閲覧対象となっているページ（換言すれば、注目ポイントが属するページ）のページ番号を取得する。栞情報作成部３２は、ページ番号と注目ポイント位置情報とを対応付けた情報である「栞情報」を作成し、記憶部１６へ記録する。
【００２７】
図２は、栞情報５０の構成例を説明する図である。栞情報５０は、ページ番号情報５２と注目ポイント位置情報５４とを含む。栞情報５０は、注目ポイントが検出されるたびに、当該注目ポイントについての情報に更新される。すなわち、栞情報５０には、少なくとも、最新の注目ポイント（換言すれば、直近の閲覧中断位置）についての情報が格納されている。
【００２８】
閲覧再開処理部３４は、閲覧中断後に閲覧再開イベント（たとえば、閲覧モードへの移行、電源ＯＮ等）が発生したか否かを判定する。上記閲覧再開イベントが発生した場合、閲覧再開処理部３４は、記憶部１６から栞情報５０を読み出す。閲覧再開処理部３４は、読み出した栞情報５０のページ番号情報５２に示されるページ番号のページ情報を表示部１２に表示するとともに、該ページ情報の表示画面上に注目ポイントを識別可能に表示する。
【００２９】
図３は、図１に示す情報閲覧装置１０の動作例を説明するためのフローチャートである。
【００３０】
注目ポイント検出部３０は、注目ポイントを検出する（ステップＳ１）。注目ポイントが検出された場合（ステップＳ２においてＹｅｓ判定）、注目ポイント検出部３０は、検出された注目ポイントについての注目ポイント位置情報５４を、栞情報作成部３２へ送信する。栞情報作成部３２は、受信した注目ポイント位置情報５４と、表示部１２に表示されて閲覧者の閲覧対象となっているページのページ番号情報５２とからなる栞情報５０を作成し、記憶部１６へ記録する（ステップＳ３）。注目ポイントが検出されなかった場合（ステップＳ２においてＮｏ判定）、注目ポイント検出部３０は、ステップＳ１の処理を再度実行する。
【００３１】
たとえば、図４に示すように、現在、「ページ番号＝１０」のページ情報７０が表示部１２に表示されている場合を想定する。そして、閲覧者の視線がポイント８０（文字「な」の位置）において所定時間以上停止した場合、ポイント８０は注目ポイントとして検出される。すなわち、この場合の栞情報５０において、ページ番号情報５２には「１０」が設定され、注目ポイント位置情報５４には「ポイント８０の位置情報」が設定される。
【００３２】
図３の説明に戻る。注目ポイント検出部３０は、閲覧中断イベントの発生の有無を判定する（ステップＳ４）。閲覧中断イベントの発生が検出されない場合（ステップＳ４においてＮｏ判定）、注目ポイント検出部３０は、ステップＳ１〜Ｓ３の処理を繰り返し実行する。閲覧中断イベントの発生が検出された場合（ステップＳ４においてＹｅｓ判定）、情報閲覧装置１０は、閲覧が中断された状態となり、制御部１８においては、閲覧再開処理部３４が起動する。
【００３３】
閲覧再開処理部３４は、閲覧再開イベントの発生の有無を判定する（ステップＳ５）。閲覧再開イベントの発生が検出されなかった場合（ステップＳ５においてＮｏ判定）、閲覧再開処理部３４は、閲覧再開イベントの発生が検出されるまで、ステップＳ５の処理を繰り返し実行する。閲覧再開イベントの発生が検出された場合（ステップＳ５においてＹｅｓ判定）、閲覧再開処理部３４は、閲覧再開に伴う表示制御を実行する（ステップＳ６）。具体的には、閲覧再開処理部３４は、記憶部１６から読み出した栞情報５０のページ番号情報５２に示されるページ番号のページ情報を表示部１２に表示するとともに、該ページ情報の表示画面上に注目ポイントを識別可能に表示する。
【００３４】
たとえば、直近の注目ポイントが、図４に示す注目ポイント（ページ番号情報＝１０、注目ポイント位置情報＝ポイント８０の位置情報）であった場合、閲覧再開時における表示部１２の表示画面には、図５に示すような表示内容が表示される。すなわち、中断時と同一のページ情報（１０ページ目）が表示され、且つ閲覧を中断した箇所と判断することが可能なポイント８０（文字「な」の位置）が識別可能に表示される。
【００３５】
なお、図５では、識別表示の例として、ポイント８０を太線および横線（下線）にて強調し、併せて、表示画面内の所定箇所（たとえば、ポイント８０の近傍）に、注目日時（すなわち、中断日時）などの付加情報を含むポップアップを表示する場合を挙げている。なお、ポイント８０（すなわち、注目ポイント）の表示は、上記に限定されない。たとえば、ポイント８０は、斜体文字や立体文字で表示されてもよい。また、ポイント８０は、周囲の文字と異なる、フォントまたは色で表示されてもよい。上記各表示のうちの２以上を組み合わせてもよい。また、ポップアップ表示の表示内容も上記に限定されず、注目日時以外の情報を、注目日時に代えてあるいは注目日時と同時に表示することも可能である。
【００３６】
以上説明したように、第１の実施形態の場合、栞情報５０の作成は自動的に行われるので、栞情報を登録する際（すなわち、閲覧中断時）の手間を省くことが可能となる。栞情報５０の作成が自動的に行われる理由は、栞情報５０の基礎情報となる注目ポイントは、注目ポイント検出部３０における時間閾値比較処理により自動的に検出されるからである。
【００３７】
さらに、第１の実施形態の場合、閲覧再開時、中断したページが表示されるだけでなく、ページ内での中断箇所（注目ポイント）が識別可能に表示される。従って、閲覧者は、中断箇所を一目で把握することができ、中断したページ全体を見渡して中断箇所を探すなどの手間から解放される。
【００３８】
以上を纏めると、第１の実施形態によれば、閲覧中断時および閲覧再開時における手間を省くことができるので、結果として、情報閲覧を円滑に行うことが可能となる。
【００３９】
なお、以上説明した第１の実施形態において、表示部１２、操作部１４、および記憶部１６は、必須の構成要素でない。すなわち、図１において、情報閲覧装置１０を制御部１８のみで構成し、表示部１２、操作部１４、および記憶部１６を情報閲覧装置１０の外部に設けることも可能である。
【００４０】
また、以上説明した第１の実施形態では、閲覧対象情報の一例として書籍データを挙げたが、閲覧対象情報は、これに限定されず他の情報であってもよい。
【００４１】
また、情報閲覧装置１０は、移動可能な端末装置であってもよく、あるいは、位置が固定された端末装置であってもよい。また、情報閲覧装置１０は、無線端末装置であってもよく、あるいは、有線端末装置であってもよい。
（変形例１）
第１の実施形態では、図２に示すように、栞情報５０は、直近の注目ポイント５０の情報のみとする場合を例に挙げた。しかしながら、栞情報５０は、直近の注目ポイント５０に加え、所定期間過去の注目ポイントの情報を含んでいてもよい。
【００４２】
たとえば、直近の注目ポイントと同一ページ内に１つ以上の別の注目ポイントが存在する場合、図６に示すように、栞情報５０Ａは、直近の注目ポイントが属するページ情報のページ番号情報５２Ａと、複数の注目ポイント（すなわち、直近の注目ポイントと、（１つ以上の）過去の注目ポイント）についての位置情報を含む注目ポイント位置情報５４Ａと、を含む。
【００４３】
また、異なるページのそれぞれに１つ以上の注目ポイントが存在する場合、図７に示すように、栞情報５０Ｂは、ページ毎の情報（ページ番号情報５２Ｂ１と１つ以上の注目ポイント位置情報５４Ｂ１からなる組と、ページ番号情報５２Ｂ２と１つ以上の注目ポイント位置情報５４Ｂ２からなる組）を含む。
【００４４】
すなわち、変形例１のような構成とすることにより、複数の注目ポイントの情報を得ることができる。
（変形例２）
第１の実施形態では、図２に示すように、栞情報５０をページ番号情報と注目ポイント位置情報のみで構成する場合を例に挙げた。しかしながら、栞情報５０は、図８に示す栞情報５０Ｃとすることができる。栞情報５０Ｃは、ページ番号情報５２Ｃおよび注目ポイント位置情報５４Ｃに加えて、付加情報５６、たとえば、注目ポイントの検出日時情報（すなわち、閲覧中断の日時情報）を含んでもよい。
【００４５】
さらに、変形例１と変形例２とを組み合わせることにより、中断間隔を正確に把握することが可能となる。中断間隔に基づいて、たとえば、閲覧者の読書スピードを算出することも可能である。読書スピードは、単位時間あたりの読書量であり、たとえば、中断間隔内における「総ページ数や総文字数」を「中断間隔」で除すことによって求めることができる。読書スピードの算出は、たとえば、閲覧再開処理部３４によって実行される。読書スピードは、教育やマーケティング等幅広い分野で活用される。たとえば、読書スピードは、閲覧者（子供）が所持する情報閲覧装置１００から親が所持する端末へと送信され、表示画面上に表示される。これにより、親は、子供の読書能力の向上度合いを確認することができる。
【００４６】
また、図５に示すように、注目ポイントの強調表示に加えて、付加情報の一例としての「注目ポイントの検出日時」を表示画面上にポップアップ表示することも可能である。
［第２の実施形態］
図９は、本発明の第２の実施形態に係る情報閲覧装置１００の構成例を示すブロック図である。情報閲覧装置１００は、ＣＰＵ（Central Processing Unit）１０２と、メモリ１０４と、を備える。なお、第２の実施形態では、図１と同様の、表示部１２、操作部１４、および記憶部１６が、情報閲覧装置１００の外部に設けられているものとする。従って、図９では、これらの構成要素の記載を省略するものとする。
【００４７】
メモリ１０４は、情報閲覧制御プログラム２００を記憶する。情報閲覧制御プログラム２００は、ＣＰＵ１０２によって実行される。メモリ１０４の例としては、非一時的な記憶手段、たとえば、ＲＯＭ（Read Only Memory）、ハードディスク、リムーバブルメディア、あるいはリムーバブルディスク等を挙げることができる。
【００４８】
図１０は、情報閲覧制御プログラム２００の構成例を示すブロック図である。情報閲覧制御プログラム２００は、第１プログラム２０２と、第２プログラム２０４と、第３プログラム２０６と、を備える。
【００４９】
第１プログラム２０２は、複数のページ情報からなる閲覧対象情報がページ情報毎に表示される表示画面上において閲覧者の視線が所定の時間以上停止したポイントを注目ポイントとして検出するためのプログラムである。第１プログラム２０２は、図３のステップＳ１〜Ｓ２の処理に対応する。
【００５０】
第２プログラム２０４は、閲覧者による閲覧が中断される時点直前の注目ポイントについての、位置情報と、直前の注目ポイントが属するページ情報のページ番号を示すページ番号情報とを対応付けた栞情報を作成するためのプログラムである。第２プログラム２０４は、図３のステップＳ３の処理に対応する。
【００５１】
第３プログラム２０６は、閲覧者による閲覧の中断後に閲覧の再開が検出された場合、ページ番号情報に基づいて直前の注目ポイントが属するページ情報を表示画面上に表示するとともに、この表示画面上に少なくとも直前の注目ポイントを識別可能に表示するためのプログラムである。第３プログラム２０６は、図３のステップＳ４〜Ｓ６の処理に対応する。
【００５２】
以上説明した第２の実施形態によれば、第１の実施形態と同様に、閲覧中断時および閲覧再開時における手間を省くことができるので、結果として、情報閲覧を円滑に行うことが可能となる。
【符号の説明】
【００５３】
１０    情報閲覧装置
１２    表示部
１４    操作部
１６    記憶部
１８    制御部
３０    注目ポイント検出部
３２    栞情報作成部
３４    閲覧再開処理部
５０、５０Ａ、５０Ｂ、５０Ｃ    栞情報
５２、５２Ａ、５２Ｂ１、５２Ｂ２、５２Ｃ    ページ番号情報
５４、５４Ａ、５４Ｂ１、５４Ｂ２、５４Ｃ    注目ポイント位置情報
５６  付加情報
７０    ページ情報
８０    ポイント
１００    情報閲覧装置
１０２    ＣＰＵ
１０４    メモリ
２００    情報閲覧制御プログラム
２０２    第１プログラム
２０４    第２プログラム
２０６    第３プログラム
【図１】
2014222472.tif 000003
【図２】
2014222472.tif 000004
【図３】
2014222472.tif 000005
【図４】
2014222472.tif 000006
【図５】
2014222472.tif 000007
【図６】
2014222472.tif 000008
【図７】
2014222472.tif 000009
【図８】
2014222472.tif 000010
【図９】
2014222472.tif 000011
【図１０】
2014222472.tif 000012